(57)【要約】【課題】  回転軸が略水平である円筒状の回転ドラム(2)の内周壁に、被乾燥物(40)を持ち上げるためのリフタが凸条として設けられている衣類乾燥機において、被乾燥物の乾燥ムラを減少させること。【解決手段】  リフタは、回転ドラム(2)の奥側端から所定幅の後方空間部(30)を介して配設される第１リフタ(51)と、これから円周方向に離れた所定位置に設けられる第２リフタ(52)とからなり、第２リフタ(52)は少なくとも後方空間部(30)に対向する後方リフタ(50)を具備し、第１リフタ(51)は、回転ドラム(2)の回転方向に向かって、前端部が後端部よりも突出するように、水平軸に対して傾斜姿勢に設けられていること。  【選択図】  図１
2005204914.tif 000002
【特許請求の範囲】
【請求項１】
中心軸が略水平に設定された前方開放の円筒状の回転ドラム内に収容されている衣類等の被乾燥物を、温風を供給させることにより乾燥させる形式の衣類乾燥機であって、前記回転ドラムの内周壁に、前記被乾燥物を持ち上げるためのリフタが、前記回転ドラムの奥側から前方開放端側へ向かって延びる凸条として設けられている衣類乾燥機において、
前記リフタは、前記回転ドラムの奥側端から所定幅の後方空間部を介して配設される第１リフタと、前記第１リフタから円周方向に離れた所定位置に設けられる第２リフタとからなり、
前記第２リフタは、少なくとも前記後方空間部に対応する後方リフタを具備する構成とし、
前記第１リフタは、前記回転ドラムの回転方向に向かって、前端部が後端部よりも突出するように、水平軸に対して傾斜させた姿勢に設けられていることを特徴とする衣類乾燥機。
【請求項２】
請求項１に記載の衣類乾燥機において、前記第１リフタの前方には前方空間部が設けられ、前記第２リフタは、前記第１リフタから円周方向に約１８０度変位した位置に設けられると共に、前記前方空間部に対応する前方リフタを含む構成としたことを特徴とする衣類乾燥機。
【請求項３】
請求項２に記載の衣類乾燥機において、前記前方リフタと前記後方リフタとは、前記第１リフタの形成範囲における水平方向の長さ分の間隔をおいて、前記水平軸に平行に且つ一直線上に配設されていることを特徴とする衣類乾燥機。
【請求項４】
請求項１又は２に記載の衣類乾燥機において、前記後方リフタは、前記回転ドラムの回転方向に向かって、後端部が前端部よりも突出するように、水平軸に対して傾斜させた姿勢に設けられていることを特徴とする衣類乾燥機。
【発明の詳細な説明】
【技術分野】
【０００１】
本発明は、衣類乾燥機、特に、衣類等の被乾燥物の乾燥むらを防止する衣類乾燥機に関するものである。
【背景技術】
【０００２】
従来の衣類乾燥機として、例えば、図６に示す構造のものがある。このものでは、ケーシング(1)の正面に扉(11)を具備する構成となっており、前記ケーシング(1)内には中心軸が水平に設定された円筒状の回転ドラム(2)が収容されている。この回転ドラム(2)には、その下方に配設されたモータ(31)の回転力が伝動ベルト(32)を介して伝達されるようになっていると共に、回転ドラム(2)の前方開放端近傍には、温風供給口(10)が設けられている。又、奥壁(29)には排気孔(21)が設けられ、上記排気孔(21)は、下流端がケーシング(1)の背面壁から外側に突出する排気ダクト(13)に連通しており、前記排気ダクト(13)内には、既述モータ(31)で駆動される排気ファン(41)が配設されている。
【０００３】
回転ドラム(2)の内周面には、前記回転ドラム(2)の中心軸と平行に延びる複数本の凸条であるリフタ(23)(24)が設けられている。これにより、回転ドラム(2)内に衣類やタオル等の被乾燥物を収容してモータ(31)を駆動させると、回転ドラム(2)内に収容された衣類等の被乾燥物は、回転ドラム(2)の回転に伴って、リフタ(23)(24)に引っ掛けられて回転ドラム(2)の内部上方まで持ち上げられ、自重によって落下させられる。このとき、前記温風供給口(10)からの温風が排気ファン(41)の作用で回転ドラム(2)内を通過して排気ダクト(13)から外部へ排出されていくから、回転ドラム(2)内に収容された前記被乾燥物は、前記リフタ(23)(24)によって攪拌されながら加熱され、次第に乾燥していく仕組みとなっている。
【０００４】
前記リフタ(23)(24)の形成位置は、前記図６に示したものでは、周方向に一定間隔毎に、前方開放端寄りのリフタ(23)と、奥壁(29)寄りのリフタ(24)とが互い違いに且つ周方向にずれた位置に突設するように設けられている。これにより、前記衣類等の被乾燥物は、前方リフタ(23)による持ち上げと、後方リフタ(24)とによる持ち上げでは、時間的にずれることとなり、前記乾燥物がこれら前後両リフタ(23)(24)に跨って引っ掛けられている場合は、前方部分と後方部分で引き離されながら回転ドラム(2)内を攪拌させられながら乾燥させられる。これにより、被乾燥物が全体に広がり易くなり、乾燥され易いものとなる。
【特許文献１】特開昭５８−１７３５９６号公報
【特許文献２】特開平５−１６８７９６号公報
【発明の開示】
【発明が解決しようとする課題】
【０００５】
しかしながら、上記した従来の衣類乾燥機では、前記リフタ(23)(24)は、回転ドラム(2)の中心軸と平行に設けられているから、一方のリフタ(23)又は(24)のどちらかのみに引っ掛けられる大きさの被乾燥物においては、回転ドラム(2)内において前後方向へ攪拌させる力が弱く、例えば、温風供給口(10)が配設されている回転ドラム(2)の前方開放端寄りのリフタ(23)によってのみ回転させられるものでは加熱され過ぎたり、場合によっては変色したりすることがある。又、奥壁(29)寄りのリフタ(24)によってのみ回転させられるものでは温風が当たりにくい部分が生じる。このように、リフタが回転ドラム(2)の軸線に平行に設けられているものは、被乾燥物に乾燥ムラが生じ易いといった不都合がある。
【０００６】
そこで、リフタを回転ドラム(2)の軸線(20)に対して斜めに設けたものとして、特開平５−１６８７９６号公報に開示のものがある。このものは、図７に示すように、回転ドラム(2)の奥壁(29)から前方開放端に至る範囲全域に、周方向に約１２０度間隔で３本のリフタ(25)(26)(27)を全て同じ方向に傾斜するように設けたもので、回転ドラム(2)の回転方向と各リフタの傾斜方向との関係により、例えば、回ドラム(2)が時計回りに回転する場合には、各リフタ(25)(26)(27)によって持ち上げられた被乾燥物(4)は、全て、回転ドラム(2)の奥壁(29)側へ送られて、奥壁(29)近傍に溜まってしまう。前記回転ドラム(2)の奥壁(29)側へ送られた被乾燥物(4)を温風供給口(10)が形成されている回転ドラム(2)の前方開放端(22)側へ移動させるためには、前記回転ドラム(2)を、上記回転方向とは逆の方向、すなわち、反時計回りに回転させなければならない。そこで、この従来のものでは、回転ドラム(2)が、正逆両方向に回転するように一定時間毎に切り替わるように制御されている。
【０００７】
本願発明はかかる点に鑑みて成されたもので、『中心軸が略水平に設定された前方開放の円筒状の回転ドラム内に収容されている衣類等の被乾燥物を、温風を供給させることにより乾燥させる形式の衣類乾燥機であって、前記回転ドラムの内周壁に、前記被乾燥物を引っ掛けて持ち上げるためのリフタが、前記回転ドラムの奥側から前方開放端側へ向かって延びる凸条として設けられている衣類乾燥機』において、一方向への回転のみで、被乾燥物が、回転ドラム内全体を満遍なく移動し、攪拌されるようにして、被乾燥物の乾燥ムラを減少させることを課題とする。
【課題を解決するための手段】
【０００８】
（１）請求項１に係る発明の衣類乾燥機は、『前記リフタは、前記回転ドラムの奥側端から所定幅の後方空間部を介して配設される第１リフタと、前記第１リフタから円周方向に離れた所定位置に設けられる第２リフタとからなり、
前記第２リフタは、少なくとも前記後方空間部に対応する後方リフタを具備する構成とし、
前記第１リフタは、前記回転ドラムの回転方向に向かって、前端部が後端部よりも突出するように、水平軸に対して傾斜させた姿勢に設けられていること』を特徴とするものである。
上記手段は次のように作用する。
回転ドラム内には、周方向に所定の間隔を置いて、第１リフタと第２リフタとが設けられている。第１リフタは、回転ドラムの軸線に対して、回転方向に向かって前端部が後端部よりも突出する態様に傾斜させた凸条となっているから、回転ドラムの回転に伴って前記第１リフタによって持ち上げられる被乾燥物は、回転ドラムの後方（奥壁側）へ送られていく。そして、前記被乾燥物は、前記第１リフタが所定の高さに達した時点で、自重により落下する。このとき、前記第１リフタ上から前記回転ドラムの中央付近へ落下させられた被乾燥物は、回転ドラムが一回転したときに、再度、前記第１リフタによって持ち上げられ、回転ドラムの後方へ送られていく。前記第１リフタの後端部は回転ドラムの奥壁に近接しておらず、前記第１リフタの後方には後方空間部が形成されているから、前記第１リフタによって持ち上げられ後方へ送られた被乾燥物は、第１リフタの後方に溜まることなく、前記後方空間部から落下する。前記後方空間部から回転ドラムの奥壁寄りへ落下した被乾燥物は、前記第１リフタから周方向に所定角度離れて位置する第２リフタの後方リフタによって持ち上げられる。そして、前記後方リフタが所定の高さに達したとき、前記被乾燥物は再び下方へ落下する。このとき、前記被乾燥物は、他の被乾燥物に押されて、被乾燥物の量が少なくなっている前方の空間へ移動していく。この前方へ送られた被乾燥物は、再度前記第１リフタによって持ち上げられて後方へ送られる。前記回転ドラムの回転に伴って、上記各工程が繰り返される。尚、前記被乾燥物は、各リフタから落下する際に温風を受けながら広がっていき、前記第１、第２リフタによって回転ドラム内を前後方向に連続して移動させられ、回転ドラム内全体に攪拌されていく。
【０００９】
（２）請求項２に係る発明の衣類乾燥機は、『前記第１リフタの前方には前方空間部が設けられ、前記第２リフタは、前記第１リフタから円周方向に約１８０度変位した位置に設けられると共に、前記前方空間部に対応する前方リフタを含む構成とした』ものであり、前記第１リフタは、回転ドラムの両端からそれぞれ所定幅の前方及び後方空間部を有した状態に設けられており、前記第１リフタの前端に引っ掛かるようにして持ち上げられた被乾燥物は、前記前方空間部から下方へ落下させられる。又、前記第１リフタから周方向に約１８０度離れた、前記前方空間部及び後方空間部に対向する各位置には、前記第２リフタの前方リフタ及び後方リフタがそれぞれ設けられているから、前記第１リフタが回転ドラム内の上部域に達した時点で、前記第２リフタはそれに対向する下部域に位置していることとなり、前記第１リフタの前方空間部から落下した被乾燥物、及び、後方空間部から落下した被乾燥物は、回転ドラムの端部に留まることなく、連続して前記前方リフタ及び後方リフタによって持ち上げられていく。特に、前方リフタで持ち上げられた被乾燥物は、他の被乾燥物の移動による作用や温風の作用により後方へ移動させられ、再度、落下した時点で前記第１リフタに拾われ、後方へ送られていく。こうして被乾燥物は回転ドラム内を攪拌させられる。
【００１０】
（３）請求項３に係る発明の衣類乾燥機は、上記請求項２に記載の衣類乾燥機において、『前記前方リフタと前記後方リフタとは、前記第１リフタの形成範囲における水平方向の長さ分の間隔をおいて、前記水平軸に平行に且つ一直線上に配設されていることを特徴とする』もので、前記第１リフタを、第２リフタに投影した場合、前方リフタと後方リフタの間に前記第１リフタがちょうど収まる態様となり、逆に、前記第２リフタを、第１リフタに投影した場合、前記前方空間部に前記前方リフタが、後方空間部に後方リフタがそれぞれちょうど収まる態様となる。
【００１１】
（４）請求項４に係る発明の衣類乾燥機は、上記請求項１又は２に記載の衣類乾燥機において、『前記後方リフタは、前記回転ドラムの回転方向に向かって、後端部が前端部よりも突出するように、水平軸に対して傾斜させた姿勢に設けられていること』を特徴とするもので、前記後方リフタを、前記第１リフタの傾斜姿勢と逆向きとなるように傾斜させたから、前記後方リフタによって持ち上げられた被乾燥物は積極的に回転ドラムの前方へ送られることとなる。
【発明の効果】
【００１２】
以上のように、請求項１に係る発明によれば、傾斜姿勢に有る第１リフタに持ち上げられることによって、被乾燥物は回転ドラム内の奥壁寄りへ送られていくこととなるが、前記第１リフタの後方には、後方空間部が設けられていることから、前記被乾燥物は、他の被乾燥物により前記第１リフタの後端と回転ドラムの奥壁との間に押し付けられて溜まることはなく、前記後方空間部からスムーズに下方へ落下させることができる。前記後方空間部から落下させられた被乾燥物は後方リフタによって持ち上げられると共に他の被乾燥物に力を受けて前方へと送られる。これにより、被乾燥物は、回転ドラム内の一定箇所に留まることがなく、連続して回転ドラム内で攪拌されることとなるため、被乾燥物に乾燥ムラを生じさせる不都合を防止することができる。又、被乾燥物は、回転ドラム内を前後左右に大きく移動することとなり、被乾燥物全体に温風を効率的に当てることができる。これにより、乾燥性能の向上や乾燥時間の短縮及びそれに伴う光熱費の低減も実現する。
【００１３】
また、請求項２に係る発明によれば、第１リフタの前方にも前方空間部を設け、第２リフタは前記前方空間部に対応する前方リフタを備える構成とすることにより、回転ドラムの前方開放端寄りにおいても被乾燥物の一時停止を防止することができる。これにより、前記回転ドラムの前方開放端近傍に温風供給口が設けられている場合であっても、前記温風供給口付近で被乾燥物が停止することがなくなり、被乾燥物の変色を防止することができる。又、前記第２リフタは、前記第１リフタに対して約１８０度離れて位置するように設定したから、回転ドラム内における被乾燥物の前後方向への移動及び攪拌が一層スムーズに行うことができ、被乾燥物全体の高い乾燥度を確保することができる。
【００１４】
また、請求項３に係る発明によれば、第２リフタを水平方向に平行な直リフタとすることにより、同じ断面積で、リフタのサイズを最もコンパクトに構成することができる。又、投影式にみた場合、回転ドラムの軸線の全域に、３つのリフタが連続して位置するように配設したから、被乾燥物が回転ドラム内のどの箇所に落下しても、前記３つのリフタのいずれかで持ち上げられて攪拌されることとなる。すなわち、全ての被乾燥物が満遍なく回転ドラム内で攪拌されることとなるから、乾燥ムラを一層防止することができる。
【００１５】
さらに、請求項４に係る発明によれば、第１リフタによって積極的に回転ドラムの奥側へ移動させられた被乾燥物は、前記後方リフタによって積極的に前方へ送られることとなるから、被乾燥物の回転ドラム内での前後方向の移動が効率良く且つスムーズに行うことが出来、乾燥ムラの防止が一層確実となる。
【発明を実施するための最良の形態】
【００１６】
以下に、本発明を実施するための最良の形態について添付図面を参照しながら説明する。
図１に示すものは、本発明の衣類乾燥機の全体構造を示す概略縦断面図であり、図２は、図１の回転ドラム(2)を回転軸と直角な面で切断した状態を示す断面図を正面側から見た概略図であり、さらに、図３は、図１の状態から、回転ドラム(2)を９０度時計回り（図１の矢印の方向）に回転させた状態を示している。
【００１７】
ケーシング(1)の前面開口部には、図１に示すように、片開き式の扉(11)が一側部で回動自在に支持されており、前記扉(11)には把手(11a)が配設されている。
前記ケーシング(1)内には、回転ドラム(2)、排気ファン(41)、これらを回転駆動させるモータ(31)、前記回転ドラム(2)の前面開放部に嵌入して回転ドラム(2)の前方開放端(22)を支持する支持リング(15)，この支持リング(15)の下部に形成された温風供給口(10)、前記温風供給口(10)に給気ダクト(34)を介して温風を供給する為のガスバーナユニット(36)、及び、前記排気ファン(41)を収容しケーシング(1)の外部に排気ダクト(42)を介して排気する為のファン装置(43)が内蔵されている。
【００１８】
前記回転ドラム(2)の奥壁(29)の中心から突出する軸部(17)は軸受部(18)によって回転自在に支持されていると共に、前記軸部(17)が突出している回転ドラム(2)の前方開放端(22)は、ケーシング(1)に固定された支持リング(15)の外周に回転自在に外嵌している。そして、この回転ドラム(2)の外周部とモータ(31)の出力軸の第１プーリ(47)の間には第１伝動ベルト(46)が掛けられており、これにより、軸部(17)を中心に回転する回転ドラム(2)がモータ(31)で回転駆動されるようになっている。
【００１９】
又、上記モータ(31)の出力軸に取付けられた第２プーリ(48)と排気ファン(41)の回転軸(44)は第２伝動ベルト(45)で動力伝達状態に連結されている。
そして、回転ドラム(2)の内周壁には、回転ドラム(2)内に収容される衣類等の被乾燥物(40)を前記回転ドラム(2)の回転に伴って持ち上げるための第１リフタ(51)と第２リフタ(52)が、相互に周方向に１８０度離れて対向するように設けられている。
【００２０】
第１リフタ(51)は、図１に示すように、前方には、前方空間部(3)を有し、且つ、後方には、後方空間部(30)を有するように、前記回転ドラム(2)の軸線方向の略中央域に直線状に設けられていると共に、前記軸線に対して、前記前方空間部(3)側の前端が、後方空間部(30)側の後端よりも、回転ドラム(2)の回転方向に向かって突出するように所定角度傾斜した姿勢に設けられている。
【００２１】
又、前記第２リフタ(52)は、図２に示すように、前記第１リフタ(51)から回転ドラム(2)の内周方向に１８０度ずれた位置に設けられており、図１では、第２リフタ(52)を二点鎖線に示して、前記第1リフタ(51)の形成面に対して対向する手前側の面に形成されている様子を表しており、図３では、第１リフタ(51)が、回転ドラム(2)の上方に位置したとき、第２リフタ(52)は、それに対向する下部に位置する様子が描かれている。
【００２２】
前記第２リフタ(52)は、回転ドラム(2)の前方開放端(22)寄りの前方リフタ(5)と、奥壁(29)寄りの後方リフタ(50)とから構成されており、これらリフタ(5)(50)は、回転ドラム(2)の軸線に沿って一直線に並列するように設けられていると共に、両者間の距離(L1)は、前記第１リフタ(51)の配設範囲に相当する回転ドラム(2)の軸方向の長さ(L2)に等しく設定されている。又、前方リフタ(5)の長さ(L3)は、前記前方空間部(3)の長さに、後方リフタ(50)の長さ(L4)は前記後方空間部(30)の長さにそれぞれ一致するように設定されている。従って、回転ドラム(2)の展開状態とすると共に、第１リフタ(51)を第２リフタ(52)に投影してみた場合、全てのリフタ(51)(5)(50)が回転ドラム(2)の中心軸の延びる方向に連続して直線的に並んだ状態に見える。
【００２３】
尚、前記３つのリフタ(51)(5)(50)のうち、第１リフタ(51)の長さが最も長く設定されており、後方リフタ(50)の長さが最も短く、前記被乾燥物(40)の一部のみが引っ掛けられて持ち上げられる程度に設定されているものとする。
又、これらリフタ(51)(5)(50)の基端部には、軸線に沿って、所定幅の取り付けフランジ(53)が張り出している。
【００２４】
次に、乾燥動作について説明する。
このものでは、図１に示すように、回転ドラム(2)内に被乾燥物(40)を収容して、運転スイッチ（図示せず）を操作すると、ガスバーナユニット(36)からの燃焼排気が給気ダクト(34)を介して、温風供給口(10)から回転ドラム(2)内に温風として供給される。又、モータ(31)の回転が第２伝動ベルト(45)を介して排気ファン(41)の回転軸(44)に伝達されて該排気ファン(41)が回転すると共に、モータ(31)の回転が第１伝動ベルト(46)を介して回転ドラム(2)にも伝達されて該回転ドラム(2)が回転する。すると、給気ダクト(34)から回転ドラム(2)内に供給された上記燃焼排気が排気ファン(41)によって排気ダクト(42)から外部に排出され、これにより、回転ドラム(2)内の被乾燥物(40)が次第に乾燥して行く。
【００２５】
回転ドラム(2)が回転すると、第１リフタ(51)，第２リフタ(52)のいずれかによって被乾燥物(40)を持ち上げられる。
そして、回転ドラム(2)の回転に伴って、例えば、図１の二点鎖線に示すように、被乾燥物(40)が第１リフタ(51)によって持ち上げられていく。このとき、前記第１リフタ(51)は上記したように後方に向かって降下する態様に傾斜していることから、前記第１リフタ(51)で持ち上げられた被乾燥物(40)は、前記第１リフタ(51)の傾斜角度に応じて後方へ送られていく。そして、第１リフタ(51)が所定の高さに達した時点で、被乾燥物(40)は自重により、第１リフタ(51)から落下する。
【００２６】
第１リフタ(51)の前後両方には、前方空間部(3)及び後方空間部(30)がそれぞれ形成されているから、前記第１リフタ(51)の前後両端部に位置させられた被乾燥物(40)は、第１リフタ(51)と回転ドラム(2)の両壁との間で一時停止させられることなく、回転ドラム(2)の回転に伴い、前方空間部(3)及び後方空間部(30)からそれぞれ下方へ落下する。
【００２７】
図３に示すように、前方空間部(3)から下方に落下した被乾燥物(40b)は、回転ドラム(2)の前方開放端(22)寄りに落ち、後方空間部(30)から下方に落下した被乾燥物(40a)は、回転ドラム(2)の奥壁(29)寄りに落下するが、第１リフタ(51)が上方にあるとき、第２リフタ(52)はちょうど降下位置にあることから、前方開放端(22)寄りに落下した被乾燥物(40b)は、前記第２リフタ(52)の前方リフタ(5)によって、後方の奥壁(29)寄りに落下した被乾燥物(40a)は、後方リフタ(50)によって、それぞれ連続的に持ち上げられることとなる。
【００２８】
これにより、空間部(3)から回転ドラム(2)の前方開放端(22)寄りに落下した被乾燥物(40b)が前記温風供給口(10)近傍に落下しても、すぐに前記前方リフタ(5)によって拾われるから、被乾燥物(40)が前記温風供給口(10)の付近で停止することによる被乾燥物の変色を防止することができる。
【００２９】
又、前記後方リフタ(50)は、比較的短く構成されているから、被乾燥物(40a)は、奥壁(29)寄りの後方端部から移動し易く、図４に示すように、前記被乾燥物(40a)はその一部分が後方リフタ(50)に引っ掛けられる態様で持ち上げられて落下し、他の被乾燥物に押されたりすることにより、隙間のできる前方へ送られていく。この前方へ送られた被乾燥物は再度前記第１リフタによって持ち上げられて後方へ送られる。
【００３０】
被乾燥物(40)は、第１、第２リフト(51)(52)によって持ち上げられて落下させられる際に、圧力から開放されて広げられ、その状態で温風を受けることとなるから、被乾燥物(40)の巻き付きや絡みによる乾燥不足や乾燥むらが生じる不都合を回避することができる。又、被乾燥物(40)は、斜めに配設されている第１リフタ(51)により、左右上下の移動に加えて、前後方向にも大きく移動するようになることで、従来のものよりもさらに、全体が満遍なく乾燥させられることとなる。又、乾燥時間も短縮させることができる。
【００３１】
又、第１リフタ(51)と第２リフタ(52)とは、上記したように、ちょうど周方向に１８０度離れた対向位置に設けられていることから、第１リフタ(51)と第２リフタ(52)のどちらか一方が上方にあるとき、他方はその対向する降下位置にあり、第１、第２リフタ(51)(52)のどちらか一方から自重により落下した被乾燥物(40)は、回転ドラム(2)内に止まることなく、対向する位置にある他方のリフタによって持ち上げられたり、移動させられたりしている。このように、回転ドラム(2)内において、被乾燥物(40)が一箇所に止まることがないから、加熱されすぎたり、乾きにくい場所が生じたりする不都合もない。
【００３２】
尚、上記実施の形態では、第１リフタ(51)のみを傾斜させ、第２リフタ(52)は、回転ドラム(2)の軸線に平行に配設させたが、図５に示すように、第２リフタ(52)の後方に位置する後方リフタ(50)を、回転ドラム(2)の回転方向に向かって、後端が前端よりも突出する態様に傾斜させても良い。
【００３３】
こうすることにより、後方リフタ(50)で引っ掛けられて持ち上げられる被乾燥物(40)は、後方リフタ(50)の傾斜に応じて、二点鎖線で示した矢印のように、積極的に回転ドラム(2)の前方へ向かって落下させることができる。よって、被乾燥物(40)は、 回転ドラム(2)の前後方向に一層大きく移動可能となり、攪拌度合いが増すこととなる。
尚、上記各実施の形態のものでは、各リフタを直線状に配設したが、緩やかなカーブを描くように曲線状に配設しても良い。前記リフタを曲線状に配設することで、被乾燥物の位置によって力のかかり方を変化させ、移動状態をより一層スムーズにすることができる。
【図面の簡単な説明】
【００３４】
【図１】本発明の実施の形態に係る衣類乾燥機の縦断面図。
【図２】本発明の実施の形態に係る衣類乾燥機の回転ドラムの回転軸と直角な平面で切断した断面図。
【図３】本発明の実施の形態に係る衣類乾燥機の回転ドラムを図１の状態から９０度回転させた状態を示す縦断面図。
【図４】本発明の実施の形態に係る衣類乾燥機の回転ドラムを図３の状態から９０度近く回転させた状態を示す縦断面図。
【図５】本発明の実施の形態に係る衣類乾燥機の回転ドラムの他の実施の形態を示す縦断面図。
【図６】従来の衣類乾燥機の一例を示す説明図。
【図７】従来の衣類乾燥機の他の一例を示す説明図。
【符号の説明】
【００３５】
(2) ・・・・・・回転ドラム
(30)・・・・・・後方空間部
(40)・・・・・・被乾燥物
(50)・・・・・・後方リフタ
(51)・・・・・・第１リフタ
(52)・・・・・・第２リフタ
【図１】
2005204914.tif 000003
【図２】
2005204914.tif 000004
【図３】
2005204914.tif 000005
【図４】
2005204914.tif 000006
【図５】
2005204914.tif 000007
【図６】
2005204914.tif 000008
【図７】
2005204914.tif 000009